(57)【要約】【課題】シート材料の所望の位置にパンチ孔を開ける穿孔装置において、シート材料の様々な幅に応じてパンチ孔の位置を適切に設定でき、パンチ孔の位置の制御や調整が単純な穿孔動作を実現する。【解決手段】複数個のパンチングピンをパンチングピンユニットに配置し、その穿孔ユニットに配置されたパンチングピンユニットの位置を調整する手段を有し、パンチングピンとパンチングダイとの間に挟まれたシート材料を押圧することによって穿孔動作を実現することを特徴とする。【選択図】図１
2012076205.tif 000002
【特許請求の範囲】
【請求項１】
シート材料の所望の位置にパンチ孔を開ける穿孔装置において、パンチングピンと該パンチングピンを配置したパンチングピンユニットと該パンチングピンユニットを配置した穿孔ユニットとパンチングダイとを有し、前記パンチングピンが複数個前記パンチングピンユニットに配置されると共に前記穿孔ユニットに配置された前記パンチングピンユニットの位置を調整する手段を有し、前記パンチングピンと前記パンチングダイとの間に挟まれたシート材料を押圧することによってパンチ孔を開けることを特徴とする穿孔装置。
【請求項２】
シート材料の所望の位置にパンチ孔を開ける穿孔装置において、パンチングピンと該パンチングピンを配置したパンチングピンユニットと該パンチングピンユニットを配置した穿孔ユニットとパンチングダイとを有し、前記穿孔ユニットに前記パンチングピンユニットが複数個配置され前記パンチングピンユニットの位置を独立に調整する手段を有し、前記複数個のパンチングピンユニットの少なくとも一つには前記パンチングピンが複数個配置され、前記パンチングピンと前記パンチングダイとの間に挟まれたシート材料を押圧することによってパンチ孔を開けることを特徴とする穿孔装置。
【発明の詳細な説明】
【技術分野】
【０００１】
本発明は、シート材料の所望の位置にパンチ孔を開ける穿孔装置に関するものである。
【背景技術】
【０００２】
従来より、シート材料の所望の位置にパンチ孔を開ける穿孔装置の例として、特定の数のパンチングピンを穿孔ユニットに配置し、パンチングピンと穿孔ユニットに対抗して設置されたパンチングダイとによって、それらの間に挟まれたシート材料を押圧して行うものがあった。
【０００３】
しかしながら、このシート材料の所望の位置にパンチ孔を開ける穿孔装置では、パンチングピンが固定されているためシート材料の様々な幅に応じてパンチ孔の位置を適切に設定することができず、適切な位置にパンチ孔を開けるためには様々な幅を有するシート材料毎に装置を換える必要があった。
【０００４】
上記問題を鑑みて、シート材料の所望の位置にパンチ孔を開ける穿孔装置として、パンチングピンの位置を調整することが試みられ、例えば特開２０１０−１１５７１８号があった。図１１に示すように、複数のパンチングピン１とパンチングピン１を取り付けた穿孔ユニット３とパンチングダイ５とからなっていた。穿孔ユニット３にパンチングピン１を取り付ける位置は固定されていたが、穿孔ユニット３へのパンチングピン１の脱着が可能であるため、パンチングピン１の数、すなわちパンチ孔の数とそれらの間隔は予め定められていた取り付け位置へのパンチングピン１の脱着の組み合わせの範囲で選択することが可能となった。
【０００５】
しかしながらこの構造では、穿孔ユニット３に予め定められた取り付け位置へのパンチングピン１の脱着の組み合わせの範囲に制限される欠点があった。また、シート材料の様々な幅に応じてパンチ孔の位置を適切に設定するためには、多くのパンチングピン１を脱着する必要があり、制御が複雑になったり、手動の場合は手間がかかる欠点があった。
【０００６】
またシート材料の所望の位置にパンチ孔を開ける別の穿孔装置として、例えば特開２００３−２０５４９３号があった。図１２に示すように、複数のパンチングピン１とパンチングピン１を取り付けた穿孔ユニット３とパンチングダイ５とからなっていた。各々のパンチングピン１は独立に制御されることによって、パンチングピン１とパンチングダイ５との間に挟まれたシート材料を押圧して設けるパンチ孔の有無を定めることが可能となった。また、穿孔ユニット３に配置されたパンチングピン１の位置を移動可能にすることによって、シート材料の様々な幅に応じてパンチ孔の位置を適切に設定することができようになった。
【０００７】
しかしながらこの構造では、シート材料の様々な幅に応じてパンチ孔の位置を適切に設定するためには、パンチングピン１の位置を一つ一つ調整する必要があり、制御が複雑になったり、手動の場合は手間がかかる欠点があった。
【先行技術文献】
【特許文献】
【０００８】
【特許文献１】特開２０１０−１１５７１８号
【０００９】
【特許文献２】特開２００３−２０５４９３号
【発明の概要】
【発明が解決しようとする課題】
【００１０】
解決しようとする問題点は、シート材料の所望の位置にパンチ孔を開ける穿孔装置において、シート材料の様々な幅に応じてパンチ孔の位置を適切に設定できない点、パンチ孔の位置の制御や調整が複雑になる点である。
【課題を解決するための手段】
【００１１】
本発明は、シート材料の所望の位置にパンチ孔を開ける穿孔装置において、前記のような従来例における問題点を解消するために、複数個のパンチングピンをパンチングピンユニットに配置し、穿孔ユニットに配置されたそのパンチングピンユニットの位置を調整する手段を有し、パンチングピンとパンチングダイとの間に挟まれたシート材料を押圧することによって穿孔動作を実現することを特徴とする。
【００１２】
本発明は、好ましくは、穿孔ユニットに配置されたパンチングピンユニットを複数個有し、少なくとも１つのパンチングピンユニットには複数個のパンチングピンを配置し、穿孔ユニットに配置された複数個のパンチングピンユニットの位置を独立に調整する手段を有し、パンチングピンとパンチングダイとの間に挟まれたシート材料を押圧することによって穿孔動作を実現することを特徴とする。
【発明の効果】
【００１３】
以上述べたように、本発明に係る穿孔装置では、複数個のパンチングピンをパンチングピンユニットに配置し、穿孔ユニットに配置されたそのパンチングピンユニットの位置を調整する手段を有することによって、適切な位置にパンチ孔を開けることができ、さらに複数のパンチングピンの位置を同時に調整することが可能となるため、パンチ孔の位置を単純な制御や調整で設定することができる。また、好ましい様態として、異なる位置や間隔でパンチングピンが配置されたパンチングピンユニットを複数個有し、穿孔ユニットに配置された各々のパンチングユニットの位置を独立に調整する手段を有することによって、より適切な位置にパンチ孔を開けることができ、さらに複数のパンチングピンの位置を同時に調整することが可能となるため、パンチ孔の位置を単純な制御や調整で設定することができる。
【００１４】
以上述べたように、本発明に係る穿孔装置では、シート材料の様々な幅に応じてパンチ孔の位置を適切に設定でき、パンチ孔の位置の制御や調整が単純な穿孔装置を提供することができる。
【図面の簡単な説明】
【００１５】
【図１】図１は本発明の穿孔装置の実施例１を示す斜視図である。（実施例１）
【図２】図２は本発明の穿孔装置の実施例１を用いて穿孔する第１の工程を示す斜視図である。（実施例１）
【図３】図３は本発明の穿孔装置の実施例１を用いて穿孔する第２の工程を示す斜視図である。（実施例１）
【図４】図４は本発明の穿孔装置の実施例２を示す斜視図である。（実施例２）
【図５】図５は本発明の穿孔装置の実施例２を用いて穿孔する第１の工程を示す斜視図である。（実施例２）
【図６】図６は本発明の穿孔装置の実施例２を用いて穿孔する第２の工程を示す斜視図である。（実施例２）
【図７】図７は本発明の穿孔装置の実施例２を用いて様々な幅を有するシート材料に開けられたパンチ孔の位置を示す平面図である。（実施例２）
【図８】図８は本発明の穿孔装置の実施例３を示す斜視図である。（実施例３）
【図９】図９は本発明の穿孔装置の実施例３を用いて穿孔する第１の工程を示す斜視図である。（実施例３）
【図１０】図１０は本発明の穿孔装置の実施例３を用いて穿孔する第２の工程を示す斜視図である。（実施例３）
【図１１】図１１は従来の穿孔装置を示す斜視図である。（従来例１）
【図１２】図１２は従来の別の穿孔装置を示す斜視図である。（従来例２）
【発明を実施するための形態】
【００１６】
シート材料の所望の位置にパンチ孔を開ける穿孔装置において、シート材料の様々な幅に応じてパンチ孔の位置を適切に設定でき、パンチ孔の位置の制御や調整が単純な穿孔動作を実現した。以下、本発明の実施例について、添付図面を参照して説明する。
【実施例１】
【００１７】
図１は、本発明の第１の実施例に係る穿孔装置の実施例１を示す斜視図である。図１に示すように、本発明の穿孔装置において、パンチングピン１とパンチングピン１を配置したパンチングピンユニット２とパンチングピンユニット２を配置した穿孔ユニット３とパンチングピンユニット２の位置を調整する位置調整ユニット４とパンチングダイ５とから構成される。パンチングピンユニット２にはパンチングピン１が複数個配置されている。また、穿孔ユニット３に配置されたパンチングピンユニット２の位置を調整する位置調整ユニット４を有している。
【００１８】
図２は、本発明の穿孔装置の実施例１を用いてシート材料６の所望の位置にパンチ孔７を開ける第１の工程を示す斜視図である。パンチングピン１とパンチングダイ５との間に挟まれたシート材料６は、穿孔ユニット３が下方に移動することによってパンチングピン１とパンチングダイ５とで押圧されてパンチ孔７が開けられる。
【００１９】
図３は、本発明の穿孔装置の実施例１を用いてシート材料６の所望の位置にパンチ孔７を開ける第２の工程を示す斜視図である。シート材料６にパンチングピン１とパンチングダイ５とで押圧されてパンチ孔７が開けられた後、穿孔ユニット３が上方に移動してもとの位置に戻って待機する。この状態で新しいシート材料６がセットされた後、第１の工程に以降する。
【００２０】
以上から、シート材料６の所望の位置にパンチ孔７を開ける動作において、複数のパンチングピン１を配置したパンチングピンユニット２の位置を調整する位置調整ユニット４を有しているため、１つのパンチングピンユニット２の簡単な調整だけで複数のパンチ孔７の間隔を維持しながら、パンチ孔の位置を自由に調整することができる。
【００２１】
本実施例では、パンチングダイ５が固定されている場合を示したが、好ましい様態として、パンチングピンユニット２の位置調整に応じてパンチングダイ５の位置を調整する機構を有して良い。
【実施例２】
【００２２】
図４は、本発明の第２の実施例に係る穿孔装置の実施例２を示す斜視図である。図４に示すように、本発明の穿孔装置において、パンチングピン１とパンチングピン１を配置したパンチングピンユニット２とパンチングピンユニット２を配置した穿孔ユニット３とパンチングピンユニット２の位置を調整する位置調整ユニット４とパンチングダイ５とから構成される。パンチングピンユニット２にはパンチングピン１が複数個配置されている。また、穿孔ユニット３にはパンチングユニット２が複数個配置されている。さらに、穿孔ユニット３に配置された複数のパンチングピンユニット２の位置を独立に調整する位置調整ユニット４を有している。
【００２３】
図５は、本発明の穿孔装置の実施例２を用いてシート材料６の所望の位置にパンチ孔７を開ける第１の工程を示す斜視図である。パンチングピン１とパンチングダイ５との間に挟まれたシート材料６は、穿孔ユニット３が下方に移動することによってパンチングピン１とパンチングダイ５とで押圧されてパンチ孔７が開けられる。
【００２４】
図６は、本発明の穿孔装置の実施例２を用いてシート材料６の所望の位置にパンチ孔７を開ける第２の工程を示す斜視図である。シート材料６にパンチングピン１とパンチングダイ５とで押圧されてパンチ孔７が開けられた後、穿孔ユニット３が上方に移動してもとの位置に戻って待機する。この状態で新しいシート材料６がセットされた後、第１の工程に以降する。
【００２５】
図７は、本発明の穿孔装置の実施例２を用いて様々な幅を有するシート材料６に開けられたパンチ孔７の位置を示す平面図である。本発明の穿孔装置の実施例２では、パンチングピン１を複数個配置したパンチングピンユニット２を３個有しており、中央に配置されたパンチングピンユニット２の位置は調整せずに固定し、両側に配置されたパンチングピンユニット２の位置を調整できるように設定されている。中央に配置されたパンチングピンユニット２には４個のパンチングピン１が配置されている。また、両側に配置されたパンチングピンユニット２には５個のパンチングピン１が配置されている。
【００２６】
図７の最上列に示した幅を有するシート材料６にパンチ孔７を開ける場合は、中央のパンチングユニット４に配置されたパンチングピン１のみによって穿孔される。ちなみに、この場合は両側のパンチングユニット２の位置は、全てのパンチングピン１が等間隔になる基本の位置に配置されている。次に、図７の２列目に示した幅を有するシート材料６にパンチ孔７を開ける場合は、両側のパンチングユニット２の位置が基本の位置に配置するとシート材料６の端がパンチングピン１によって破損する。そのため、両側のパンチングユニット２の位置をシート材料の端から所望の間隔だけ内側にパンチ孔が開くように調整する。３列目、及び４列目に示した幅を有するシート材料６にパンチ孔７を開ける場合も同様に、両側のパンチングユニット２の位置をシート材料６の端から所望の間隔だけ内側にパンチ孔が開くように調整することができる。パンチ孔は、綴じ具などによって丁合された複数の用紙を綴じ合わせる場合などに用いられることが多く、綴じ合わせ強度を適当に保つためにはシート材料６の端から所望の間隔だけ内側に開けることが望ましく、両側のパンチングユニット２の位置の調整によって実現できる。なお、中央のパンチングユニット２の端に配置されたパンチングピン１と両側のパンチングユニット２の端の配置されたパンチングピン１との間隔だけが均等にはならないが、多くのパンチ孔の配置全体から見れば殆ど僅かな不均等であり、殆どの穿孔の用途には支障を来たさない。
【００２７】
このように、パンチングユニット２の位置を調整する手段を有することによって、様々な幅を有するシート材料６の所望の位置にパンチ孔６を開けることができる。また、複数のパンチングピン１を配置したパンチングユニット２の位置を調整する手段を有することによって、複数のパンチングピン１の位置を同時に調整することができ、本発明の実施例２の場合は、２つのパンチングピンユニット２の簡単な調整だけで複数のパンチ孔７の間隔を殆ど維持しながら、パンチ孔の位置を自由に調整することができる。
【００２８】
本実施例では、１つのパンチングダイ５が固定されている場合を示したが、好ましい様態として、複数のパンチングピンユニット２の一つ一つに対応するようにパンチングダイ５を分離して複数個有し、各々のパンチングピンユニット２の位置調整に応じて各々のパンチングダイ５の位置を調整する機構を有して良い。
【実施例３】
【００２９】
図８は、本発明の第３の実施例に係る穿孔装置の実施例３を示す斜視図である。図８に示すように、本発明の穿孔装置において、パンチングピン１とパンチングピン１を配置したパンチングピンユニット２とパンチングピンユニット２を配置した穿孔ユニット３とパンチングピンユニット２の位置を調整する位置調整ユニット４とパンチングダイ５とから構成される。中央のパンチングピンユニット２にはパンチングピン１が複数個配置されている。また、両側のパンチングユニット２には１個のパンチングピン１が配置されている。穿孔ユニット３にはパンチングユニット２が３個配置されている。さらに、穿孔ユニット３に配置された複数のパンチングピンユニット２の位置を独立に調整する位置調整ユニット４を有している。
【００３０】
図９は、本発明の穿孔装置の実施例３を用いてシート材料６の所望の位置にパンチ孔７を開ける第１の工程を示す斜視図である。パンチングピン１とパンチングダイ５との間に挟まれたシート材料６は、穿孔ユニット３が下方に移動することによってパンチングピン１とパンチングダイ５とで押圧されてパンチ孔７が開けられる。
【００３１】
図１０は、本発明の穿孔装置の実施例３を用いてシート材料６の所望の位置にパンチ孔７を開ける第２の工程を示す斜視図である。シート材料６にパンチングピン１とパンチングダイ５とで押圧されてパンチ孔７が開けられた後、穿孔ユニット３が上方に移動してもとの位置に戻って待機する。この状態で新しいシート材料６がセットされた後、第１の工程に以降する。
【００３２】
穿孔を行うシート材料６の幅の範囲が狭い場合は、本発明の実施例３に示すように、最も狭い幅に穿孔するためのパンチングピンユニット２を中央に配置し、両側に配置するパンチングピンユニット２には１個のパンチングピン１を配置するだけで、シート材料６の端から所望の間隔だけ内側にパンチ孔が開くように調整することができると同時に、中央のパンチングピンユニット２の端に配置されたパンチングピン１と両側のパンチングユニット２の端の配置されたパンチングピン１との間隔はそれ程大きくならずに許容できる範囲に留めることができる。
【００３３】
このように、本発明の穿孔装置の実施例３に示すように、シート材料の幅の範囲が狭い場合は、本発明の穿孔装置の実施例２に示す場合と同様に、両側の２つのパンチングピンユニット２の簡単な調整だけで複数のパンチ孔７の間隔を殆ど維持しながら、パンチ孔の位置を自由に調整することができる。また、両側のパンチングユニット２に配置するパンチングピン１は１個で済むため、より単純で安価な穿孔装置を提供することができる。
【００３４】
本実施例では、１つのパンチングダイ５が固定されている場合を示したが、好ましい様態として、複数のパンチングピンユニット２の一つ一つに対応するようにパンチングダイ５を分離して複数個有し、各々のパンチングピンユニット２の位置調整に応じて各々のパンチングダイ５の位置を調整する機構を有して良い。
【産業上の利用可能性】
【００３５】
シート材料の所望の位置にパンチ孔を開ける場合の用途全般に適用できる。
【符号の説明】
【００３６】
１    パンチングピン
２    パンチングピンユニット
３    穿孔ユニット
４    位置調整ユニット
５    パンチングダイ
６    シート材料
７    パンチ孔
【図１】
2012076205.tif 000003
【図２】
2012076205.tif 000004
【図３】
2012076205.tif 000005
【図４】
2012076205.tif 000006
【図５】
2012076205.tif 000007
【図６】
2012076205.tif 000008
【図７】
2012076205.tif 000009
【図８】
2012076205.tif 000010
【図９】
2012076205.tif 000011
【図１０】
2012076205.tif 000012
【図１１】
2012076205.tif 000013
【図１２】
2012076205.tif 000014
【手続補正書】
【提出日】平成22年11月18日(2010.11.18)
【手続補正１】
【補正対象書類名】明細書
【補正対象項目名】００１１
【補正方法】変更
【補正の内容】
【００１１】
本発明は、シート材料の所望の位置にパンチ孔を開ける穿孔装置において、前記のような従来例における問題点を解消するために、複数個のパンチングピンをパンチングピンユニットに配置し、穿孔ユニットに配置されたそのパンチングピンユニットの位置を調整してパンチ孔の位置を変える手段を有し、パンチングピンとパンチングダイとの間に挟まれたシート材料を押圧することによって穿孔動作を実現することを特徴とする。
【手続補正２】
【補正対象書類名】明細書
【補正対象項目名】００１２
【補正方法】変更
【補正の内容】
【００１２】
本発明は、好ましくは、穿孔ユニットに配置されたパンチングピンユニットを複数個有し、少なくとも１つのパンチングピンユニットには複数個のパンチングピンを配置し、穿孔ユニットに配置された複数個のパンチングピンユニットの位置を独立に調整してパンチ孔の位置を変える手段を有し、パンチングピンとパンチングダイとの間に挟まれたシート材料を押圧することによって穿孔動作を実現することを特徴とする。
【手続補正３】
【補正対象書類名】明細書
【補正対象項目名】００１３
【補正方法】変更
【補正の内容】
【００１３】
以上述べたように、本発明に係る穿孔装置では、複数個のパンチングピンをパンチングピンユニットに配置し、穿孔ユニットに配置されたそのパンチングピンユニットの位置を調整してパンチ孔の位置を変える手段を有することによって、適切な位置にパンチ孔を開けることができ、さらに複数のパンチングピンの位置を同時に調整することが可能となるため、パンチ孔の位置を単純な制御や調整で設定することができる。また、好ましい様態として、異なる位置や間隔でパンチングピンが配置されたパンチングピンユニットを複数個有し、穿孔ユニットに配置された各々のパンチングユニットの位置を独立に調整してパンチ孔の位置を変える手段を有することによって、より適切な位置にパンチ孔を開けることができ、さらに複数のパンチングピンの位置を同時に調整することが可能となるため、パンチ孔の位置を単純な制御や調整で設定することができる。
【手続補正４】
【補正対象書類名】明細書
【補正対象項目名】００２０
【補正方法】変更
【補正の内容】
【００２０】
以上から、シート材料６の所望の位置にパンチ孔７を開ける動作において、複数のパンチングピン１を配置したパンチングピンユニット２の位置を調整してパンチ孔の位置を変える位置調整ユニット４を有しているため、１つのパンチングピンユニット２の簡単な調整だけで複数のパンチ孔７の間隔を維持しながら、パンチ孔の位置を自由に調整することができる。
【手続補正５】
【補正対象書類名】明細書
【補正対象項目名】００２５
【補正方法】変更
【補正の内容】
【００２５】
図７は、本発明の穿孔装置の実施例２を用いて様々な幅を有するシート材料６に開けられたパンチ孔７の位置を示す平面図である。本発明の穿孔装置の実施例２では、パンチングピン１を複数個配置したパンチングピンユニット２を３個有しており、中央に配置されたパンチングピンユニット２の位置は調整せずに固定し、両側に配置されたパンチングピンユニット２の位置を調整してパンチ孔の位置を変えることができるように設定されている。中央に配置されたパンチングピンユニット２には４個のパンチングピン１が配置されている。また、両側に配置されたパンチングピンユニット２には５個のパンチングピン１が配置されている。
【手続補正６】
【補正対象書類名】明細書
【補正対象項目名】００２７
【補正方法】変更
【補正の内容】
【００２７】
このように、パンチングユニット２の位置を調整してパンチ孔の位置を変える手段を有することによって、様々な幅を有するシート材料６の所望の位置にパンチ孔６を開けることができる。また、複数のパンチングピン１を配置したパンチングユニット２の位置を調整してパンチ孔の位置を変える手段を有することによって、複数のパンチングピン１の位置を同時に調整することができ、本発明の実施例２の場合は、２つのパンチングピンユニット２の簡単な調整だけで複数のパンチ孔７の間隔を殆ど維持しながら、パンチ孔の位置を自由に調整することができる。
【手続補正７】
【補正対象書類名】特許請求の範囲
【補正対象項目名】請求項１
【補正方法】変更
【補正の内容】
【請求項１】
シート材料の所望の位置にパンチ孔を開ける穿孔装置において、パンチングピンと該パンチングピンを配置したパンチングピンユニットと該パンチングピンユニットを配置した穿孔ユニットとパンチングダイとを有し、前記パンチングピンが複数個前記パンチングピンユニットに配置されると共に前記穿孔ユニットに配置された前記パンチングピンユニットの位置を調整してパンチ孔の位置を変える手段を有し、前記パンチングピンと前記パンチングダイとの間に挟まれたシート材料を押圧することによってパンチ孔を開けることを特徴とする穿孔装置。
【手続補正８】
【補正対象書類名】特許請求の範囲
【補正対象項目名】請求項２
【補正方法】変更
【補正の内容】
【請求項２】
シート材料の所望の位置にパンチ孔を開ける穿孔装置において、パンチングピンと該パンチングピンを配置したパンチングピンユニットと該パンチングピンユニットを配置した穿孔ユニットとパンチングダイとを有し、前記穿孔ユニットに前記パンチングピンユニットが複数個配置され前記パンチングピンユニットの位置を独立に調整してパンチ孔の位置を変える手段を有し、前記複数個のパンチングピンユニットの少なくとも一つには前記パンチングピンが複数個配置され、前記パンチングピンと前記パンチングダイとの間に挟まれたシート材料を押圧することによってパンチ孔を開けることを特徴とする穿孔装置。